(57)【特許請求の範囲】
【請求項１】
固定子の外周側に配設されたフレームと、上記フレームの軸線方向両側面に設けられた枠足と、上記フレームの上記固定子の両端部が見える位置に上記フレームの軸線方向両側面に設けられたマンホールと、上記マンホールの周縁部に設けられたマンホールカバー取付座と、上記マンホールカバー取付座に取り付けられ、トラニオンを有するマンホールカバーを設けたことを特徴とする回転電機。
【請求項２】
上記マンホールカバーは、上記マンホールカバー取付座に取り付けられる取付フランジと心棒からなるトラニオンとにより構成されたことを特徴とする請求項1に記載の回転電機。
【請求項３】
上記マンホールカバーは、上記マンホールカバー取付座に取り付けられるトラニオンを構成する筒体と上記筒体に取り付けられるカバー体とにより構成されたことを特徴とする請求項１に記載の回転電機。
【請求項４】
上記マンホールカバーは、上記マンホールカバー取付座にインロー構造にて取り付けられることを特徴とする請求項２または請求項３に記載の回転電機。
【請求項５】
上記マンホールカバー取付座は、上記枠足に固定されることを特徴とする請求項１〜請求項４のいずれか1項に記載の回転電機。
【発明の詳細な説明】
【技術分野】
【０００１】
この発明は、例えば、タービン発電機のような大型の回転電機に関し、特にフレームの軸線方向両側面にマンホールが設けられた回転電機に関するものである。
【背景技術】
【０００２】
従来、タービン発電機のような大型の回転電機は、素材の高騰、建屋の省スペース化により体格縮小が要求されている。マンホールは、固定子端部点検等のため、フレーム両側面端部に配置されることが多く、トラニオンは上記マンホールより回転電機中心側に配置されることとなる。
【０００３】
また、経験上、回転電機をバランスよく吊り上げるためには、トラニオン間の距離は回転電機全長に対して３０％程度以上は確保する必要がある。
【０００４】
図１８、図１９は従来の回転電機の一例を示す。これら各図において、１は回転電機、２はフレーム、３は固定子、４は回転子、５は軸受、６は内部空間、７は枠足、８はブラケット、９はトラニオン、１０ａ，１０ｂ，１０ｃはマンホール、１１はマンホールカバー、１２はワイヤーロープである。
【０００５】
マンホール１０ａは、フレーム２の中央部に設けられ、フレーム２の両端側の固定子３の端部が見える位置にそれぞれマンホール１０ｂ，１０ｃが設けられている。そして、トラニオン９は、フレーム２の両端側の固定子３の端部が見える位置のマンホール１０ｂ，１０ｃより回転電機１中心側のフレーム２に配置されている。
【先行技術文献】
【特許文献】
【０００６】
【特許文献１】特開平１１−３３５０７４号公報
【特許文献２】特開平９−２３３７７１号公報
【発明の概要】
【発明が解決しようとする課題】
【０００７】
上述した従来の回転電機は、トラニオン９を配置する場合において、回転電機１が体格縮小するにつれてトラニオン９間の距離は短くなる。トラニオン９間の距離が短くなると、回転電機１をバランスよく吊り上げることが難しくなるため、回転電機１を一定以上体格縮小できないという課題があった。
【０００８】
この発明は、上記のような課題を解決するためになされたものであり、その目的は、バランスよく吊り上げることができる回転電機を提供するものである。
【課題を解決するための手段】
【０００９】
この発明に係わる回転電機は、固定子の外周側に配設されたフレームと、上記フレームの軸線方向両側面に設けられた枠足と、上記フレームの上記固定子の両端部が見える位置に上記フレームの軸線方向両側面に設けられたマンホールと、上記マンホールの周縁部に設けられたマンホールカバー取付座と、上記マンホールカバー取付座に取り付けられ、トラニオンを有するマンホールカバーを設けたものである。
【発明の効果】
【００１０】
この発明に係わる回転電機によれば、フレームの固定子の両端部が見える位置にフレームの軸線方向両側面に設けられたマンホールの周縁部にマンホールカバー取付座を設け、このマンホールカバー取付座にトラニオンを有するマンホールカバーを設けたことにより、バランスよく吊り上げることができる回転電機を得ることができる。
【図面の簡単な説明】
【００１１】
【図１】この発明の実施の形態１に係わる回転電機を示す側面図である。
【図２】この発明の実施の形態１に係わる回転電機を示す要部断面図である。
【図３】この発明の実施の形態２に係わる回転電機を示す要部断面図である。
【図４】この発明の実施の形態３に係わる回転電機を示す要部断面図である。
【図５】この発明の実施の形態４に係わる回転電機を示す要部断面図である。
【００１２】
【図６】この発明の実施の形態５に係わる回転電機を示す要部断面図である。
【図７】この発明の実施の形態６に係わる回転電機を示す要部断面図である。
【図８】この発明の実施の形態７に係わる回転電機を示す要部断面図である。
【図９】この発明の実施の形態８に係わる回転電機を示す要部断面図である。
【００１３】
【図１０】この発明の実施の形態９に係わる回転電機を示す要部断面図である。
【図１１】この発明の実施の形態1０に係わる回転電機を示す要部断面図である。
【図１２】この発明の実施の形態1１に係わる回転電機を示す要部断面図である。
【図１３】この発明の実施の形態１２に係わる回転電機を示す要部断面図である。
【００１４】
【図１４】この発明の実施の形態１３に係わる回転電機を示す要部断面図である。
【図１５】この発明の実施の形態1４に係わる回転電機を示す要部断面図である。
【図１６】この発明の実施の形態1５に係わる回転電機を示す要部断面図である。
【図１７】この発明の実施の形態１６に係わる回転電機を示す要部断面図である。
【００１５】
【図１８】従来の回転電機を側断面図である。
【図１９】従来の回転電機を側面図である。
【発明を実施するための形態】
【００１６】
実施の形態１．
以下、この発明の実施の形態１を図１および図２に基づいて説明するが、各図において、同一、または相当部材、部位については同一符号を付して説明する。図１はこの発明の実施の形態１に係わる回転電機を示す側面図であり、回転電機を吊り上げている状態を示している。図２はこの発明の実施の形態１に係わる回転電機を示す要部断面図であり、フレームの固定子の両端部が見える位置に設けられたマンホール部の要部を断面で示している。
【００１７】
これら各図において、１は回転電機である。２は回転電機１のフレームであり、このフレーム２内に固定子３が配設されている。４は固定子３内に貫挿された回転子であり、軸受５により支承されている。７は回転電機１の固定用としてフレーム２の軸線方向両側面に設けられた枠足である。８はブラケットである。
【００１８】
１０ａ，１０ｂ，１０ｃはフレーム２の軸線方向両側面に設けられたマンホールであり、マンホール１０ａは、フレーム２の中央部に設けられ、フレーム２の両端側の固定子３の端部が見える位置にそれぞれマンホール１０ｂ，１０ｃが設けられている。１１はマンホール１０ａを密閉するためのマンホールカバー、１２はワイヤーロープである。
【００１９】
１３はマンホール１０ｂ，１０ｃの周縁部にそれぞれ設けられたマンホールカバー取付座であり、フレーム２に溶接により取り付けられている。１４はマンホールカバー取付座１３にボルトなどにより着脱可能に取り付けられ、トラニオン１５を有するマンホールカバーである。このマンホールカバー１４のトラニオン１５にワイヤーロープ１２が懸架される。なお、マンホールカバー１４は、大きな部材から機械加工による切削によりトラニオン１５を形成するようにしている。
【００２０】
この実施の形態１によれば、フレーム２の固定子３の両端部が見える位置にフレーム２の軸線方向両側面に設けられたマンホール１０ｂ，１０ｃの周縁部にマンホールカバー取付座１３をそれぞれ設け、このマンホールカバー取付座１３にトラニオン１５を有するマンホールカバー１４を着脱可能に取り付けて密閉したことにより、上述した従来の回転電機におけるトラニオン９間の距離（図１９参照）と比べ、マンホールカバー１４のトラニオン１５間の距離を長く取ることができ、回転電機１をバランスよく安定して吊り上げることができる。これに伴い、回転電機１が体格縮小するにつれても回転電機１を一定以上体格縮小を図ることができる。
【００２１】
実施の形態２．
この発明の実施の形態２を図３に基づいて説明するが、図において、同一、または相当部材、部位については同一符号を付して説明する。図３はこの発明の実施の形態２に係わる回転電機を示す要部断面図である。
【００２２】
上述した実施の形態１におけるマンホールカバー１４は、大きな部材から機械加工による切削によりトラニオン１５を形成するようにしているが、この実施の形態２におけるマンホールカバー１６は、マンホールカバー取付座１３に取り付けられる取付フランジ１７と心棒からなるトラニオン１８とにより構成しており、取付フランジ１７と心棒からなるトラニオン１８とは溶接により固定される。
【００２３】
この実施の形態２によれば、上述した実施の形態１よりも材料費の低減、および機械加工時間の短縮を図ることができる。
【００２４】
実施の形態３．
この発明の実施の形態３を図４に基づいて説明するが、図において、同一、または相当部材、部位については同一符号を付して説明する。図４はこの発明の実施の形態３に係わる回転電機を示す要部断面図である。
【００２５】
この実施の形態３におけるマンホールカバー１９は、マンホールカバー取付座１３に取り付けられるトラニオンを構成する筒体２０とこの筒体２０に取り付けられるカバー体２１とにより構成している。筒体２０は例えばボルトなどにより着脱可能に取り付けられ、カバー体２１は例えばボルトなどにより着脱可能に取り付けられて密閉するようにしている。
【００２６】
この実施の形態３によれば、マンホールカバー１９の筒体２０はマンホールカバー取付座１３に取り付けた状態とし、軽量なカバー体２１を取り外すことにより、フレーム２内部の固定子３の端部の点検等のためのアクセスが可能となり、マンホールカバー１９の着脱時の作業性を向上させることができる。
【００２７】
実施の形態４．
この発明の実施の形態４を図５に基づいて説明するが、図において、同一、または相当部材、部位については同一符号を付して説明する。図５はこの発明の実施の形態４に係わる回転電機を示す要部断面図である。
【００２８】
上述した実施の形態３においては、マンホールカバー１９の筒体２０がマンホールカバー取付座１３に例えばボルトなどにより着脱可能に取り付けられる場合について述べたが、この実施の形態４においては、マンホールカバー１９の筒体２０をマンホールカバー取付座１３に溶接により取り付けて固定している。
【００２９】
この実施の形態４によれば、マンホールカバー１９の筒体２０の着脱作業がなくなるため、マンホールカバー１９の組立時の作業時間を短縮することができる。
【００３０】
実施の形態５．
この発明の実施の形態５を図６に基づいて説明するが、図において、同一、または相当部材、部位については同一符号を付して説明する。図６はこの発明の実施の形態５に係わる回転電機を示す要部断面図である
【００３１】
上述した実施の形態１においては、マンホールカバー１４をマンホールカバー取付座１３の座面にボルトなどにより着脱可能に取り付けた場合について述べたが、この実施の形態５においては、マンホールカバー取付座１３に凹形状部１３ａを設け、マンホールカバー１４にマンホールカバー取付座１３に設けた凹形状部１３ａにインロー嵌合される凸形状部１４ａを設けている。
【００３２】
この実施の形態５によれば、マンホールカバー１４の凸形状部１４ａをマンホールカバー取付座１３に設けた凹形状部１３ａにインロー嵌合させてボルトなどにより取り付けたことにより、上述した実施の形態１に比べ、強度剛性の向上が図れるとともに、ボルト本数の削減も図れるので組立作業時間を短縮することができる。
【００３３】
実施の形態６．
この発明の実施の形態６を図７に基づいて説明するが、図において、同一、または相当部材、部位については同一符号を付して説明する。図７はこの発明の実施の形態６に係わる回転電機を示す要部断面図である。
【００３４】
上述した実施の形態２においては、マンホールカバー１６が取付フランジ１７と心棒からなるトラニオン１８とにより構成され、マンホールカバー１６の取付フランジ１７をマンホールカバー取付座１３の座面にボルトなどにより着脱可能に取り付けた場合について述べたが、この実施の形態６においては、マンホールカバー取付座１３に凹形状部１３ａを設け、マンホールカバー１６の取付フランジ１７にマンホールカバー取付座１３に設けた凹形状部１３ａにインロー嵌合される凸形状部１７ａを設けている。
【００３５】
この実施の形態６によれば、マンホールカバー１６の取付フランジ１７の凸形状部１７ａをマンホールカバー取付座１３に設けた凹形状部１３ａにインロー嵌合させてボルトなどにより取り付けたことにより、上述した実施の形態２に比べ、強度剛性の向上が図れるとともに、ボルト本数の削減も図れるので組立作業時間を短縮することができる。
【００３６】
実施の形態７．
この発明の実施の形態７を図８に基づいて説明するが、図において、同一、または相当部材、部位については同一符号を付して説明する。図８はこの発明の実施の形態７に係わる回転電機を示す要部断面図である。
【００３７】
上述した実施の形態３においては、マンホールカバー１９がトラニオンを構成する筒体２０とこの筒体２０に取り付けられるカバー体２１とにより構成され、マンホールカバー１９の筒体２０をマンホールカバー取付座１３の座面にボルトなどにより着脱可能に取り付けた場合について述べたが、この実施の形態７においては、マンホールカバー取付座１３に凹形状部１３ａを設け、マンホールカバー１９の筒体２０にマンホールカバー取付座１３に設けた凹形状部１３ａにインロー嵌合される凸形状部２０ａを設けている。
【００３８】
この実施の形態７によれば、マンホールカバー１９の筒体２０の凸形状部２０ａをマンホールカバー取付座１３に設けた凹形状部１３ａにインロー嵌合させてボルトなどにより取り付けたことにより、上述した実施の形態３に比べ、強度剛性の向上が図れるとともに、ボルト本数の削減も図れるので組立作業時間を短縮することができる。
【００３９】
実施の形態８．
この発明の実施の形態８を図９に基づいて説明するが、図において、同一、または相当部材、部位については同一符号を付して説明する。図９はこの発明の実施の形態８に係わる回転電機を示す要部断面図である。
【００４０】
上述した実施の形態４においては、マンホールカバー１９がトラニオンを構成する筒体２０とこの筒体２０に取り付けられるカバー体２１とにより構成され、マンホールカバー１９の筒体２０をマンホールカバー取付座１３に溶接により取り付けた場合について述べたが、この実施の形態８においては、マンホールカバー取付座１３に凹形状部１３ａを設け、マンホールカバー１９の筒体２０にマンホールカバー取付座１３に設けた凹形状部１３ａにインロー嵌合される凸形状部２０ａを設けている。
【００４１】
この実施の形態８によれば、マンホールカバー１９の筒体２０の凸形状部２０ａをマンホールカバー取付座１３に設けた凹形状部１３ａにインロー嵌合させて溶接により取り付けたことにより、上述した実施の形態４に比べ、強度剛性の向上を図ることができる。
【００４２】
実施の形態９．
この発明の実施の形態９を図１０に基づいて説明するが、図において、同一、または相当部材、部位については同一符号を付して説明する。図１０はこの発明の実施の形態９に係わる回転電機を示す要部断面図である。
【００４３】
上述した実施の形態１においては、マンホールカバー１４をマンホールカバー取付座１３の座面にボルトなどにより着脱可能に取り付けた場合について述べたが、この実施の形態９においては、マンホールカバー取付座２２をフレーム２と枠足７に溶接して取り付けて固定している。
【００４４】
この実施の形態９によれば、マンホールカバー取付座２２をフレーム２と枠足７に溶接して取り付けて固定したことにより、上述した実施の形態１に比べ、強度剛性の向上を図ることができる。
【００４５】
実施の形態１０．
この発明の実施の形態１０を図１１に基づいて説明するが、図において、同一、または相当部材、部位については同一符号を付して説明する。図１１はこの発明の実施の形態1０に係わる回転電機を示す要部断面図である。
【００４６】
上述した実施の形態２においては、マンホールカバー１６が取付フランジ１７と心棒からなるトラニオン１８とにより構成され、マンホールカバー１６の取付フランジ１７をマンホールカバー取付座１３の座面にボルトなどにより着脱可能に取り付けた場合について述べたが、この実施の形態１０においては、マンホールカバー取付座２２をフレーム２と枠足７に溶接して取り付けて固定している。
【００４７】
この実施の形態１０によれば、マンホールカバー取付座２２をフレーム２と枠足７に溶接して取り付けて固定したことにより、上述した実施の形態２に比べ、強度剛性の向上を図ることができる。
【００４８】
実施の形態１１．
この発明の実施の形態１１を図１２に基づいて説明するが、図において、同一、または相当部材、部位については同一符号を付して説明する。図１２はこの発明の実施の形態1１に係わる回転電機を示す要部断面図である。
【００４９】
上述した実施の形態３においては、マンホールカバー１９がトラニオンを構成する筒体２０とこの筒体２０に取り付けられるカバー体２１とにより構成され、マンホールカバー１９の筒体２０をマンホールカバー取付座１３の座面にボルトなどにより着脱可能に取り付けた場合について述べたが、この実施の形態１１においては、マンホールカバー取付座２２をフレーム２と枠足７に溶接して取り付けて固定している。
【００５０】
この実施の形態１１によれば、マンホールカバー取付座２２をフレーム２と枠足７に溶接して取り付けて固定したことにより、上述した実施の形態３に比べ、強度剛性の向上を図ることができる。
【００５１】
実施の形態１２．
この発明の実施の形態１２を図１３に基づいて説明するが、図において、同一、または相当部材、部位については同一符号を付して説明する。図１３はこの発明の実施の形態１２に係わる回転電機を示す要部断面図である。
【００５２】
上述した実施の形態４においては、マンホールカバー１９がトラニオンを構成する筒体２０とこの筒体２０に取り付けられるカバー体２１とにより構成され、マンホールカバー１９の筒体２０をマンホールカバー取付座１３に溶接により取り付けた場合について述べたが、この実施の形態１２においては、マンホールカバー取付座２２をフレーム２と枠足７に溶接して取り付けて固定している。
【００５３】
この実施の形態１２によれば、マンホールカバー取付座２２をフレーム２と枠足７に溶接して取り付けて固定したことにより、上述した実施の形態４に比べ、強度剛性の向上を図ることができる。
【００５４】
実施の形態１３．
この発明の実施の形態１３を図１４に基づいて説明するが、図において、同一、または相当部材、部位については同一符号を付して説明する。図１４はこの発明の実施の形態１３に係わる回転電機を示す要部断面図である。
【００５５】
上述した実施の形態５においては、マンホールカバー１４の凸形状部１４ａをマンホールカバー取付座１３に設けた凹形状部１３ａにインロー嵌合させてボルトなどにより取り付けた場合について述べたが、この実施の形態１３においては、マンホールカバー取付座２２をフレーム２と枠足７に溶接して取り付けて固定している。なお、マンホールカバー１４の凸形状部１４ａはマンホールカバー取付座２２に設けた凹形状部２２ａにインロー嵌合され、マンホールカバー１４はマンホールカバー取付座２２にボルトなどにより取り付けられる。
【００５６】
この実施の形態１３によれば、マンホールカバー取付座２２をフレーム２と枠足７に溶接して取り付けて固定したことにより、上述した実施の形態５に比べ、強度剛性の向上を図ることができる。
【００５７】
実施の形態１４．
この発明の実施の形態１４を図１５に基づいて説明するが、図において、同一、または相当部材、部位については同一符号を付して説明する。図１５はこの発明の実施の形態1４に係わる回転電機を示す要部断面図である。
【００５８】
上述した実施の形態６においては、マンホールカバー１６の取付フランジ１７の凸形状部１７ａをマンホールカバー取付座１３に設けた凹形状部１３ａにインロー嵌合させてボルトなどにより取り付けた場合について述べたが、この実施の形態１４においては、マンホールカバー取付座２２をフレーム２と枠足７に溶接して取り付けて固定している。なお、マンホールカバー１６の取付フランジ１７の凸形状部１７ａはマンホールカバー取付座２２に設けた凹形状部２２ａにインロー嵌合され、マンホールカバー１６はマンホールカバー取付座２２にボルトなどにより取り付けられる。
【００５９】
この実施の形態１４によれば、マンホールカバー取付座２２をフレーム２と枠足７に溶接して取り付けて固定したことにより、上述した実施の形態６に比べ、強度剛性の向上を図ることができる。
【００６０】
実施の形態１５．
この発明の実施の形態１５を図１６に基づいて説明するが、図において、同一、または相当部材、部位については同一符号を付して説明する。図１６はこの発明の実施の形態1５に係わる回転電機を示す要部断面図である。
【００６１】
上述した実施の形態７においては、マンホールカバー１９の筒体２０の凸形状部２０ａをマンホールカバー取付座１３に設けた凹形状部１３ａにインロー嵌合させてボルトなどにより取り付けた場合について述べたが、この実施の形態１５においては、マンホールカバー取付座２２をフレーム２と枠足７に溶接して取り付けて固定している。なお、マンホールカバー１９の筒体２０の凸形状部２０ａはマンホールカバー取付座２２に設けた凹形状部２２ａにインロー嵌合され、マンホールカバー１９はマンホールカバー取付座２２にボルトなどにより取り付けられる。
【００６２】
この実施の形態１５によれば、マンホールカバー取付座２２をフレーム２と枠足７に溶接して取り付けて固定したことにより、上述した実施の形態７に比べ、強度剛性の向上を図ることができる。
【００６３】
実施の形態１６．
この発明の実施の形態１６を図１７に基づいて説明するが、図において、同一、または相当部材、部位については同一符号を付して説明する。図１７はこの発明の実施の形態１６に係わる回転電機を示す要部断面図である。
【００６４】
上述した実施の形態８においては、マンホールカバー１９の筒体２０の凸形状部２０ａをマンホールカバー取付座１３に設けた凹形状部１３ａにインロー嵌合させて溶接により取り付けた場合について述べたが、この実施の形態１６においては、マンホールカバー取付座２２をフレーム２と枠足７に溶接して取り付けて固定している。なお、マンホールカバー１９の筒体２０の凸形状部２０ａはマンホールカバー取付座２２に設けた凹形状部２２ａにインロー嵌合され、マンホールカバー１９はマンホールカバー取付座２２に溶接により取り付けられる。
【００６５】
この実施の形態１６によれば、マンホールカバー取付座２２をフレーム２と枠足７に溶接して取り付けて固定したことにより、上述した実施の形態８に比べ、強度剛性の向上を図ることができる。
【産業上の利用可能性】
【００６６】
この発明は、バランスよく吊り上げることができる回転電機の実現に好適である。
【符号の説明】
【００６７】
１  回転電機
２  フレーム
３  固定子
７  枠足
１０ｂ  マンホール
１０ｃ  マンホール
１３  マンホールカバー取付座
１３ａ  凹形状部
１４  マンホールカバー
１４ａ  凸形状部
１５  トラニオン
１６  マンホールカバー
１７  取付フランジ
１７ａ  凸形状部
１８  トラニオン
１９  マンホールカバー
２０  筒体
２０ａ  凸形状部
２１  カバー体
２２  マンホールカバー取付座
２２ａ  凹形状部
【図１】
0005430590.tif 000002
【図２】
0005430590.tif 000003
【図３】
0005430590.tif 000004
【図４】
0005430590.tif 000005
【図５】
0005430590.tif 000006
【図６】
0005430590.tif 000007
【図７】
0005430590.tif 000008
【図８】
0005430590.tif 000009
【図９】
0005430590.tif 000010
【図１０】
0005430590.tif 000011
【図１１】
0005430590.tif 000012
【図１２】
0005430590.tif 000013
【図１３】
0005430590.tif 000014
【図１４】
0005430590.tif 000015
【図１５】
0005430590.tif 000016
【図１６】
0005430590.tif 000017
【図１７】
0005430590.tif 000018
【図１８】
0005430590.tif 000019
【図１９】
0005430590.tif 000020